【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
無線周波数（ＲＦ）能力情報およびベースバンド能力情報を備えるＵＥ能力情報を決定することと、前記ベースバンド能力情報は、ヌメロロジを示す少なくとも１つの他のベースバンドパラメータを備え、前記ＲＦ能力情報は、少なくとも１つの帯域組合せに関してＲＦ能力を示し、ここにおいて、前記ＲＦ能力情報は、前記ヌメロロジが前記少なくとも１つの帯域組合せ内の特定のＲＦ帯域についてサポートされるかどうかを示す前記少なくとも１つの他のベースバンドパラメータのインデックスを備え、
前記ＵＥ能力情報を基地局にシグナリングすることと、
を備える、方法。
【請求項２】
前記少なくとも１つの他のベースバンドパラメータは、帯域ごとに示される、請求項１に記載の方法。
【請求項３】
前記少なくとも１つの他のベースバンドパラメータのベースバンドパラメータについてのサポートは、識別子（ＩＤ）を使用して示される、請求項２に記載の方法。
【請求項４】
前記少なくとも１つの他のベースバンドパラメータのベースバンドパラメータについてのサポートは、コンポーネントキャリア（ＣＣ）ごとに示される、請求項１に記載の方法。
【請求項５】
ＣＣについての前記少なくとも１つの他のベースバンドパラメータの前記ベースバンドパラメータについての前記サポートは、識別子（ＩＤ）を使用して示される、請求項４に記載の方法。
【請求項６】
前記少なくとも１つの他のベースバンドパラメータの前記ベースバンドパラメータについての前記サポートは、帯域ごと、およびＣＣごとに示される、請求項４に記載の方法。
【請求項７】
前記ＲＦ能力情報は、前記少なくとも１つの他のベースバンドパラメータのベースバンドパラメータの対応する識別子（ＩＤ）に関して、前記ベースバンドパラメータについてのサポートを示す、請求項１に記載の方法。
【請求項８】
前記ベースバンドパラメータは、前記対応するＩＤに関して帯域パラメータのサポートを示す、請求項７に記載の方法。
【請求項９】
前記ベースバンドパラメータは、前記対応するＩＤに関してコンポーネントキャリア（ＣＣ）パラメータについてのサポートを示す、請求項８に記載の方法。
【請求項１０】
前記少なくとも１つの他のベースバンドパラメータは、前記ＵＥによってサポートされる能力のリストに含まれる、請求項１に記載の方法。
【請求項１１】
能力の前記リストにおける各能力は、対応する他のベースバンドパラメータ識別子（ＩＤ）を有する、請求項１０に記載の方法。
【請求項１２】
前記少なくとも１つの帯域組合せは、帯域幅組合せセット識別子を備え、前記ＲＦ能力情報は、前記帯域幅組合せセット識別子に関して、複数のベースバンドのうちの１つについてのＲＦ能力を示す、請求項１に記載の方法。
【請求項１３】
前記少なくとも１つの他のベースバンドパラメータは、複数のＲＦ帯域にわたって共通である、請求項１に記載の方法。
【請求項１４】
前記少なくとも１つの帯域組合せは、前記ヌメロロジと、レイヤまたは帯域幅のうちの少なくとも１つと、を備える組合せを示す、請求項１に記載の方法。
【請求項１５】
前記ＲＦ能力情報は、前記ヌメロロジ、前記レイヤ、および前記帯域幅が特定の帯域組合せについてサポートされるかどうかを示す、請求項１４に記載の方法。
【請求項１６】
前記ＵＥ能力情報は、帯域幅クラスの指示なしでシグナリングされる、請求項１に記載の方法。
【請求項１７】
前記少なくとも１つの帯域組合せは、複数の帯域組合せを定義し、前記少なくとも１つの帯域組合せは、前記ヌメロロジと、レイヤおよび複数の帯域幅クラスのうちの帯域幅クラスのうちの少なくとも１つと、を備え、前記ＲＦ能力情報は、前記複数の帯域幅クラスのうちの１つについてのＲＦ能力を示す、請求項１に記載の方法。
【請求項１８】
ユーザ機器（ＵＥ）におけるワイヤレス通信のための装置であって、
無線周波数（ＲＦ）能力情報およびベースバンド能力情報を備えるＵＥ能力情報を決定するための手段と、前記ベースバンド能力情報は、ヌメロロジを示す少なくとも１つの他のベースバンドパラメータを備え、前記ＲＦ能力情報は、少なくとも１つの帯域組合せに関してＲＦ能力を示し、ここにおいて、前記ＲＦ能力情報は、前記ヌメロロジが前記少なくとも１つの帯域組合せ内の特定のＲＦ帯域についてサポートされるかどうかを示す前記少なくとも１つの他のベースバンドパラメータのインデックスを備え、
前記ＵＥ能力情報を基地局にシグナリングするための手段と、
を備える、装置。
【請求項１９】
前記少なくとも１つの他のベースバンドパラメータのベースバンドパラメータについてのサポートは、識別子（ＩＤ）を使用して帯域ごとに示される、請求項１８に記載の装置。
【請求項２０】
前記少なくとも１つの他のベースバンドパラメータのベースバンドパラメータについてのサポートは、コンポーネントキャリア（ＣＣ）ごとに、および識別子（ＩＤ）を使用して示される、請求項１８に記載の装置。
【請求項２１】
前記少なくとも１つの他のベースバンドパラメータの前記ベースバンドパラメータについての前記サポートは、帯域ごと、およびＣＣごとに示される、請求項２０に記載の装置。
【請求項２２】
前記ＲＦ能力情報は、前記少なくとも１つの他のベースバンドパラメータの対応する識別子（ＩＤ）に関して、前記少なくとも１つの他のベースバンドパラメータのベースバンドパラメータについてのサポートを示す、請求項１８に記載の装置。
【請求項２３】
コンポーネントキャリア（ＣＣ）パラメータについての前記サポートは、前記対応するＩＤに関して示される、請求項２２に記載の装置。
【請求項２４】
前記少なくとも１つの他のベースバンドパラメータは、前記ＵＥによってサポートされる能力のリストに含まれ、能力の前記リストにおける各能力は、対応する他のベースバンドパラメータ識別子（ＩＤ）を有する、請求項１８に記載の装置。
【請求項２５】
前記少なくとも１つの帯域組合せは、帯域幅組合せセット識別子を備え、前記ＲＦ能力情報は、前記帯域幅組合せセット識別子に関して、複数のベースバンドのうちの１つについてのＲＦ能力を示す、請求項１８に記載の装置。
【請求項２６】
前記少なくとも１つの他のベースバンドパラメータは、複数のＲＦ帯域にわたって共通である、請求項１８に記載の装置。
【請求項２７】
前記少なくとも１つの帯域組合せは、前記ヌメロロジと、レイヤまたは帯域幅のうちの少なくとも１つと、を備える組合せを示す、請求項２６に記載の装置。
【請求項２８】
前記ＲＦ能力情報は、前記ヌメロロジ、前記レイヤ、および前記帯域幅が特定の帯域組合せについてサポートされるかどうかを示す、請求項２７に記載の装置。
【請求項２９】
前記ＵＥ能力情報は、帯域幅クラスの指示なしでシグナリングされる、請求項１８に記載の装置。
【請求項３０】
前記少なくとも１つの帯域組合せは、複数の帯域組合せを定義し、前記少なくとも１つの帯域組合せは、前記ヌメロロジと、レイヤおよび複数の帯域幅クラスのうちの帯域幅クラスのうちの少なくとも１つとを備え、前記ＲＦ能力情報は、前記複数の帯域幅クラスのうちの１つについてのＲＦ能力を示す、請求項１８に記載の装置。
【請求項３１】
ユーザ機器（ＵＥ）におけるワイヤレス通信のための装置であって、
メモリと、
前記メモリに結合された少なくとも１つのプロセッサと、
を備え、前記少なくとも１つのプロセッサは、
無線周波数（ＲＦ）能力情報およびベースバンド能力情報を備えるＵＥ能力情報を決定することと、前記ベースバンド能力情報は、ヌメロロジを示す少なくとも１つの他のベースバンドパラメータを備え、前記ＲＦ能力情報は、少なくとも１つの帯域組合せに関してＲＦ能力を示し、ここにおいて、前記ＲＦ能力情報は、前記ヌメロロジが前記少なくとも１つの帯域組合せ内の特定のＲＦ帯域についてサポートされるかどうかを示す前記少なくとも１つの他のベースバンドパラメータのインデックスを備え、
ＵＥ能力情報を基地局にシグナリングすることと、
を行うように構成される、装置。
【請求項３２】
前記少なくとも１つの他のベースバンドパラメータのベースバンドパラメータについてのサポートは、帯域ごとに識別子（ＩＤ）を使用して示される、請求項３１に記載の装置。
【請求項３３】
前記少なくとも１つの他のベースバンドパラメータについてのサポートは、コンポーネントキャリア（ＣＣ）ごとに識別子（ＩＤ）を使用して示される、請求項３１に記載の装置。
【請求項３４】
前記少なくとも１つの他のベースバンドパラメータについてのサポートは、帯域ごと、およびＣＣごとに示される、請求項３３に記載の装置。
【請求項３５】
前記ＲＦ能力情報は、前記少なくとも１つの他のベースバンドパラメータの対応する識別子（ＩＤ）に関して、前記少なくとも１つの他のベースバンドパラメータのベースバンドパラメータについてのサポートを示す、請求項３１に記載の装置。
【請求項３６】
前記少なくとも１つの他のベースバンドパラメータは、前記対応するＩＤに関してコンポーネントキャリア（ＣＣ）パラメータについての前記サポートを示す、請求項３５に記載の装置。
【請求項３７】
前記少なくとも１つの他のベースバンドパラメータは、前記ＵＥによってサポートされる能力のリストに含まれ、能力の前記リストにおける各能力は、対応する他のベースバンドパラメータ識別子（ＩＤ）を有する、請求項３１に記載の装置。
【請求項３８】
前記少なくとも１つの帯域組合せは、帯域幅組合せセット識別子を備え、前記ＲＦ能力情報は、前記帯域幅組合せセット識別子に関して、複数のベースバンドのうちの１つについてのＲＦ能力を示す、請求項３１に記載の装置。
【請求項３９】
前記少なくとも１つの他のベースバンドパラメータは、複数のＲＦ帯域にわたって共通である、請求項３１に記載の装置。
【請求項４０】
前記少なくとも１つの帯域組合せは、前記ヌメロロジと、レイヤまたは帯域幅のうちの少なくとも１つと、を備える組合せを示す、請求項３９に記載の装置。
【請求項４１】
前記ＲＦ能力情報は、前記ヌメロロジ、前記レイヤ、および前記帯域幅が特定の帯域組合せについてサポートされるかどうかを示す、請求項４０に記載の装置。
【請求項４２】
前記ＵＥ能力情報は、帯域幅クラスの指示なしでシグナリングされる、請求項３１に記載の装置。
【請求項４３】
前記少なくとも１つの帯域組合せは、複数の帯域組合せを定義し、前記少なくとも１つの帯域組合せは、前記ヌメロロジと、レイヤおよび複数の帯域幅クラスのうちの１つの帯域幅クラスのうちの少なくとも１つとを備え、前記ＲＦ能力情報は、前記複数の帯域幅クラスのうちの１つについてのＲＦ能力を示す、請求項３１に記載の装置。
【請求項４４】
ユーザ機器（ＵＥ）におけるワイヤレス通信のためのコンピュータ実行可能コードを記憶する非一時的コンピュータ可読媒体であって、前記コードは、プロセッサによって実行されると、前記プロセッサに、
無線周波数（ＲＦ）能力情報およびベースバンド能力情報を備えるＵＥ能力情報を決定することと、前記ベースバンド能力情報は、ヌメロロジを示す少なくとも１つの他のベースバンドパラメータを備え、前記ＲＦ能力情報は、少なくとも１つの帯域組合せに関してＲＦ能力を示し、ここにおいて、前記ＲＦ能力情報は、前記ヌメロロジが前記少なくとも１つの帯域組合せ内の特定のＲＦ帯域についてサポートされるかどうかを示す前記少なくとも１つの他のベースバンドパラメータのインデックスを備え、
ＵＥ能力情報を基地局にシグナリングすることと、
を行わせる、非一時的コンピュータ可読媒体。
【手続補正２】
【補正対象書類名】明細書
【補正対象項目名】０１２５
【補正方法】変更
【補正の内容】
【０１２５】
[00135]  先の説明は、当業者が本明細書で説明されている様々な態様を実施することを可能にするために提供されている。これらの態様に対する様々な修正は、当業者に容易に明らかとなり、本明細書で定義される包括的な原理は他の態様に適用され得る。したがって、特許請求の範囲は、本明細書に示されている態様に限定されることが意図されたものではなく、請求項の文言と矛盾しない最大範囲であると認められるべきであり、ここにおいて、単数の要素の参照は、そのように明確に記載されていない限り、「１つおよび１つのみ」を意味するのではなく、むしろ「１つまたは複数」を意味するように意図されている。「例示的な」という用語は、本明細書では、「例、事例、または例示としての役割を果たす」ことを意味するように使用されている。「例示的な」ものとして、本明細書で説明される任意の態様は、必ずしも他の態様に対して好ましいまたは有利なものとして解釈されるべきではない。別段明記されていない限り、「いくつかの」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａのみ、Ｂのみ、Ｃのみ、ＡとＢ、ＡとＣ、ＢとＣ、またはＡとＢとＣであり得、ここで、このような任意の組合せが、Ａ、Ｂ、またはＣの１つまたは複数のメンバーを含み得る。当業者に既知である、または後に知られることになる、本開示全体にわたって説明された様々な態様の要素に対するすべての構造的および機能的な同等物が、参照によって本明細書に明確に組み込まれ、特許請求の範囲によって包含されることが意図されている。さらに、本明細書で開示されたものが、特許請求の範囲に明示的に記載されているかどうかにかかわらず、そのような開示は公に寄与されることを意図したものではない。「モジュール」、「メカニズム」、「要素」、「デバイス」などの用語は、「手段」という用語の代用でないこともある。このように、いずれの請求項の要素も、その要素が「〜のための手段」というフレーズを使用して明示的に記載されていない限り、ミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
少なくとも１つのＵＥ能力を決定することと、
ＵＥ能力情報を基地局にシグナリングすることと、
を備え、前記シグナリングすることは、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を含む、方法。
［Ｃ２］
前記少なくとも１つの他のベースバンドパラメータは、帯域ごとに示される、Ｃ１に記載の方法。
［Ｃ３］
前記少なくとも１つの他のベースバンドパラメータのベースバンドパラメータについてのサポートは、識別子（ＩＤ）を使用して示される、Ｃ２に記載の方法。
［Ｃ４］
前記少なくとも１つの他のベースバンドパラメータの前記ベースバンドパラメータについてのサポートは、コンポーネントキャリア（ＣＣ）ごとに示される、Ｃ１に記載の方法。
［Ｃ５］
ＣＣについての前記少なくとも１つの他のベースバンドパラメータの前記ベースバンドパラメータについての前記サポートは、識別子（ＩＤ）を使用して示される、Ｃ４に記載の方法。
［Ｃ６］
前記少なくとも１つの他のベースバンドパラメータのベースバンドパラメータについてのサポートは、帯域ごと、およびＣＣごとに示される、Ｃ１に記載の方法。
［Ｃ７］
前記ＲＦ能力情報は、前記他のベースバンドパラメータについての対応する識別子（ＩＤ）に関して、前記少なくとも１つの他のベースバンドパラメータのベースバンドパラメータについてのサポートを示す、Ｃ１に記載の方法。
［Ｃ８］
他の各ベースバンドパラメータは、前記対応するＩＤに関して帯域パラメータのサポートを示す、Ｃ７に記載の方法。
［Ｃ９］
他の各ベースバンドパラメータは、前記ＩＤに関してコンポーネントキャリア（ＣＣ）パラメータについてのサポートを示す、Ｃ８に記載の方法。
［Ｃ１０］
前記少なくとも１つの他のベースバンドパラメータは、前記ＵＥによってサポートされる能力のリストに含まれる、Ｃ１に記載の方法。
［Ｃ１１］
前記ＵＥによってサポートされる能力の各セットは、対応する他のベースバンドパラメータ識別子（ＩＤ）を有する、Ｃ１０に記載の方法。
［Ｃ１２］
定義された各帯域組合せは、帯域幅組合せセット識別子を備え、前記ＲＦ能力情報は、前記帯域幅組合せセット識別子に関して、定義された複数のベースバンドのうちの１つについての前記ＲＦ能力を示す、Ｃ１に記載の方法。
［Ｃ１３］
前記少なくとも１つの他のベースバンドパラメータは、複数のＲＦ帯域にわたって共通である、Ｃ１に記載の方法。
［Ｃ１４］
各帯域組合せは、ヌメロロジ、レイヤ、または帯域幅のうちの少なくとも１つを備える組合せを示す、Ｃ１に記載の方法。
［Ｃ１５］
前記ＲＦ能力情報は、前記ヌメロロジ、前記レイヤ、および前記帯域幅が特定の帯域組合せについてサポートされるかどうかを示す、Ｃ１４に記載の方法。
［Ｃ１６］
前記ＵＥ能力情報は、帯域幅クラスの指示なしでシグナリングされる、Ｃ１に記載の方法。
［Ｃ１７］
複数の帯域組合せが定義され、各帯域組合せは、ヌメロロジ、レイヤ、および帯域幅クラスのうちの少なくとも１つを備え、
前記ＲＦ能力情報は、前記定義された複数の帯域幅クラスのうちの１つについてのＲＦ能力を示す、Ｃ１に記載の方法。
［Ｃ１８］
ユーザ機器（ＵＥ）におけるワイヤレス通信のための装置であって、
少なくとも１つのＵＥ能力を決定するための手段と、
基地局にＵＥ能力情報をシグナリングするための手段と、
を備え、ここにおいて、前記シグナリングのための手段は、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を行うように構成された、装置。
［Ｃ１９］
前記少なくとも１つの他のベースバンドパラメータのベースバンドパラメータについてのサポートは、識別子（ＩＤ）を使用して帯域ごとに示される、Ｃ１８に記載の装置。
［Ｃ２０］
前記少なくとも１つの他のベースバンドパラメータの前記ベースバンドパラメータについての前記サポートは、コンポーネントキャリア（ＣＣ）ごとに、および識別子（ＩＤ）を使用して示される、Ｃ１８に記載の装置。
［Ｃ２１］
前記少なくとも１つの他のベースバンドパラメータのベースバンドパラメータについての前記サポートは、帯域ごと、およびＣＣごとに示される、Ｃ１８に記載の装置。
［Ｃ２２］
前記ＲＦ能力情報は、前記他のベースバンドパラメータについての対応する識別子（ＩＤ）に関して、前記少なくとも１つの他のベースバンドパラメータの前記ベースバンドパラメータについての前記サポートを示す、Ｃ１８に記載の装置。
［Ｃ２３］
コンポーネントキャリア（ＣＣ）パラメータについての前記サポートは、前記ＩＤに関して示される、Ｃ２２に記載の装置。
［Ｃ２４］
前記少なくとも１つの他のベースバンドパラメータは、前記ＵＥによってサポートされる能力のリストに含まれ、前記ＵＥによってサポートされる能力の各セットは、対応する他のベースバンドパラメータ識別子（ＩＤ）を有する、Ｃ１８に記載の装置。
［Ｃ２５］
定義された各帯域組合せは、帯域幅組合せセット識別子を備え、前記ＲＦ能力情報は、前記帯域幅組合せセット識別子に関して、定義された複数のベースバンドのうちの１つについての前記ＲＦ能力を示す、Ｃ１８に記載の装置。
［Ｃ２６］
前記少なくとも１つの他のベースバンドパラメータは、複数のＲＦ帯域にわたって共通である、Ｃ１８に記載の装置。
［Ｃ２７］
各帯域組合せは、ヌメロロジ、レイヤ、または帯域幅のうちの少なくとも１つを備える組合せを示す、Ｃ２６に記載の装置。
［Ｃ２８］
前記ＲＦ能力情報は、前記ヌメロロジ、前記レイヤ、および前記帯域幅が特定の帯域組合せについてサポートされるかどうかを示す、Ｃ２７に記載の装置。
［Ｃ２９］
前記ＵＥ能力情報は、帯域幅クラスの指示なしでシグナリングされる、Ｃ１８に記載の装置。
［Ｃ３０］
複数の帯域組合せが定義され、各帯域組合せは、ヌメロロジ、レイヤ、および帯域幅クラスのうちの少なくとも１つを備え、
前記ＲＦ能力情報は、前記定義された複数の帯域幅クラスのうちの１つについてのＲＦ能力を示す、Ｃ１８に記載の装置。
［Ｃ３１］
ユーザ機器（ＵＥ）におけるワイヤレス通信のための装置であって、
メモリと、
前記メモリに結合された少なくとも１つのプロセッサと、
を備え、前記少なくとも１つのプロセッサは、
少なくとも１つのＵＥ能力を決定することと、
ＵＥ能力情報を基地局にシグナリングすることと、
を行うように構成され、前記シグナリングすることは、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を含む、装置。
［Ｃ３２］
前記少なくとも１つの他のベースバンドパラメータのベースバンドパラメータについてのサポートは、帯域ごとに、および識別子（ＩＤ）を使用して示される、Ｃ３１に記載の装置。
［Ｃ３３］
前記少なくとも１つの他のベースバンドパラメータについてのサポートは、コンポーネントキャリア（ＣＣ）ごとに、および識別子（ＩＤ）を使用して示される、Ｃ３１に記載の装置。
［Ｃ３４］
前記少なくとも１つの他のベースバンドパラメータについてのサポートは、帯域ごと、およびＣＣごとに示される、Ｃ３１に記載の装置。
［Ｃ３５］
前記ＲＦ能力情報は、前記他のベースバンドパラメータについての対応する識別子（ＩＤ）に関して、前記少なくとも１つの他のベースバンドパラメータのベースバンドパラメータについてのサポートを示す、Ｃ３１に記載の装置。
［Ｃ３６］
前記他のベースバンドパラメータは、前記ＩＤに関してコンポーネントキャリア（ＣＣ）パラメータについての前記サポートを示す、Ｃ３５に記載の装置。
［Ｃ３７］
前記少なくとも１つの他のベースバンドパラメータは、前記ＵＥによってサポートされる能力のリストに含まれ、前記ＵＥによってサポートされる能力の各セットは、対応する他のベースバンドパラメータ識別子（ＩＤ）を有する、Ｃ３１に記載の装置。
［Ｃ３８］
定義された各帯域組合せは、帯域幅組合せセット識別子を備え、前記ＲＦ能力情報は、前記帯域幅組合せセット識別子に関して、定義された複数のベースバンドのうちの１つについての前記ＲＦ能力を示す、Ｃ３１に記載の装置。
［Ｃ３９］
前記少なくとも１つの他のベースバンドパラメータは、複数のＲＦ帯域にわたって共通である、Ｃ３１に記載の装置。
［Ｃ４０］
各帯域組合せは、ヌメロロジ、レイヤ、または帯域幅のうちの少なくとも１つを備える組合せを示す、Ｃ３９に記載の装置。
［Ｃ４１］
前記ＲＦ能力情報は、前記ヌメロロジ、前記レイヤ、および前記帯域幅が特定の帯域組合せについてサポートされるかどうかを示す、Ｃ４０に記載の装置。
［Ｃ４２］
前記ＵＥ能力情報は、帯域幅クラスの指示なしでシグナリングされる、Ｃ３１に記載の装置。
［Ｃ４３］
複数の帯域組合せが定義され、各帯域組合せは、ヌメロロジ、レイヤ、および帯域幅クラスのうちの少なくとも１つを備え、
前記ＲＦ能力情報は、前記定義された複数の帯域幅クラスのうちの１つについてのＲＦ能力を示す、Ｃ３１に記載の装置。
［Ｃ４４］
ユーザ機器（ＵＥ）におけるワイヤレス通信のためのコンピュータ実行可能コードを記憶するコンピュータ可読媒体であって、前記コードは、プロセッサによって実行されると、前記プロセッサに、
少なくとも１つのＵＥ能力を決定することと、
ＵＥ能力情報を基地局にシグナリングすることと、
を行わせ、前記シグナリングすることは、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を含む、コンピュータ可読媒体。